(57)【特許請求の範囲】
【請求項１】
複数の用紙を収容する用紙収容部を有し、前記用紙収容部に収容された用紙を送り出す給紙手段と、
前記給紙手段から送り出される用紙の切断位置を設定する切断位置設定手段と、
前記給紙手段から送り込まれる用紙を設定された切断位置で切断してその周縁部を取り除く用紙切断手段と、
前記用紙切断手段から送り込まれた用紙を複数重ね合わせて用紙束とすると共に、当該用紙束を用紙搬送方向の中間に設定される綴じ位置にて綴じる綴じ手段と、
前記綴じ手段により綴じられた用紙束を前記綴じ位置で折りたたんで冊子を作成する折り手段と、
折りたたまれて作成された冊子の天、地を設定された断裁位置で断裁する断裁手段と、
前記用紙収容部に収容された用紙のサイズである初期用紙サイズを取得する初期用紙サイズ取得手段と、
ユーザによって入力された、作成される冊子のサイズである仕上がりサイズを取得する仕上がりサイズ取得手段と、
取得された仕上がりサイズを利用して、前記綴じ手段に送り込まれるべき用紙のサイズである綴じ用紙サイズを取得する綴じ用紙サイズ取得手段と、
取得された仕上がりサイズとなるよう前記断裁位置を設定する断裁位置設定手段と、
前記折り手段により前記綴じ位置で用紙束を折りたたんで冊子を作成する中綴じ折り処理がユーザにより選択されたか否かを示す選択結果を取得する選択結果取得手段と、
を備え、
前記用紙切断手段は、前記冊子の天地に対応する用紙の左右の端部を当接させて用紙の位置を整える左サイドガイド及び右サイドガイドと、それらのサイドガイドで位置を整えられた用紙の左右の周縁部を切り落とす左右端切断スリッタとを含み、
前記綴じ用紙サイズ取得手段は、ユーザにより中綴じ折り処理が選択された場合、取得された仕上がりサイズの冊子の天と地との間の距離に所定の断裁しろを加えたサイズを、綴じ用紙サイズの左右方向の幅として取得し、
前記切断位置設定手段は、取得された初期用紙サイズおよび取得された綴じ用紙サイズを利用し、前記用紙切断手段から前記綴じ手段へ送り出すべき用紙の左右端が、前記給紙手段から前記用紙切断手段に送り込まれる用紙の左右端の間に含まれるよう、用紙の切断位置を設定することを特徴とする製本システム。
【請求項２】
前記給紙手段から送り出される用紙を、前記用紙切断手段、前記綴じ手段および前記折り手段を経て前記断裁手段へ直線的に搬送する搬送手段を備え、
前記搬送手段は、用紙を左右方向には移動させることなく搬送することを特徴とする請求項１に記載の製本システム。
【請求項３】
前記初期用紙サイズ取得手段は、ユーザによって入力された、前記用紙収容部に収容された用紙のサイズを、初期用紙サイズとして取得することを特徴とする請求項１または２に記載の製本システム。
【請求項４】
前記綴じ用紙サイズ取得手段は、前記初期用紙サイズ取得手段によって複数種類の初期用紙サイズが取得された場合、最小の初期用紙サイズを綴じ用紙サイズとして取得することを特徴とする請求項１から３のいずれかに記載の製本システム。
【発明の詳細な説明】
【技術分野】
【０００１】
本発明は、製本システムに関し、特に、用紙を切断してその周縁部を取り除く用紙切断手段を有する製本システムに関する。
【背景技術】
【０００２】
最終仕上げサイズより大きいサイズのシートに印刷などの画像記録処理を施し、画像が記録されたシートの周縁部を切り落として製本する製本システムが知られている。このような製本システムとして、画像形成装置から受け取った画像データの用紙サイズ情報と、印刷シートのサイズ情報とに基づいて裁断量を演算する製本装置が提案されている（例えば、特許文献１参照）。また、用紙搬送量やサイドガイドの位置を変更することにより用紙の切断位置を変更可能な用紙裁断装置が提案されている（例えば、特許文献２参照）。
【特許文献１】特開２００７−６９２２９号公報
【特許文献２】特開２００６−３４７７１４号公報
【発明の開示】
【発明が解決しようとする課題】
【０００３】
近年、製本される冊子には、多様な印刷方法による画像記録や多種の用紙種類の用紙が含められることが要求される。このため、異なる印刷工程を経た用紙を組み合わせる場合があり、このとき異なるサイズの用紙を重ね合わせて製本する必要が生じる場合がある。このようにサイズが異なる用紙であっても、製本後に掲載したい画像は通常は用紙の中央に記録されていることから、いずれかの端部を揃えて綴じ処理などを施すと各ページにおいて画像位置がずれるおそれがある。
【０００４】
しかしながら、例えば上述の特許文献１に記載される技術は、シート束に綴じ処理を施した後に裁断する位置を調整するものであり、異なる用紙を束ねて製本するときに各ページにおける画像位置のずれを抑制することは困難である。また、例えば上述の特許文献２に記載される技術では、どのようなサイズの用紙がどのような順序で供給されるかを用紙裁断装置において設定する必要があり、ユーザの設定工数の増加を抑制することは困難である。
【０００５】
そこで、本発明は上述した課題を解決するためになされたものであり、その目的は、製本工程に送り込まれる用紙のサイズに応じて簡易且つ適切に用紙または冊子の周縁部の切り落とし処理を施すことが可能な製本システムを提供することにある。
【課題を解決するための手段】
【０００６】
上記課題を解決するために、本発明のある態様の製本システムは、複数の用紙を収容する用紙収容部を有し、用紙収容部に収容された用紙を送り出す給紙手段と、給紙手段から送り出される用紙の切断位置を設定する切断位置設定手段と、給紙手段から送り込まれる用紙を設定された切断位置で切断してその周縁部を取り除く用紙切断手段と、用紙切断手段から送り込まれた用紙を複数重ね合わせて用紙束とすると共に、当該用紙束を綴じて冊子を作成する綴じ手段と、用紙収容部に収容された用紙のサイズである初期用紙サイズを取得する初期用紙サイズ取得手段と、ユーザによって入力された、作成される冊子のサイズである仕上がりサイズを取得する仕上がりサイズ取得手段と、取得された仕上がりサイズを利用して、綴じ手段に送り込まれるべき用紙のサイズである綴じ用紙サイズを取得する綴じ用紙サイズ取得手段と、を備える。切断位置設定手段は、取得された初期用紙サイズおよび取得された綴じ用紙サイズを利用して用紙の切断位置を設定する。
【０００７】
この態様によれば、複数種類のサイズの用紙を用いて製本処理を実施する場合においても、用紙の切断位置を適切に設定することができる。また、用紙切断手段において別途用紙の切断位置を設定しなくても用紙の切断位置を設定することができ、ユーザの設定労力を低減させることができる。
【０００８】
用紙切断手段は、ユーザによって仕上がりサイズが入力されなかった場合、給紙手段から送り込まれる用紙の切断を回避してもよい。
【０００９】
例えば、給紙手段から用紙切断手段に送り込まれる用紙のサイズが画一的であり特に用紙の切断を必要としない場合がある。この態様によれば、このような場合においてユーザは特別な入力操作をする必要なく、仕上がりサイズの入力をしないことで用紙の切断をキャンセルすることができる。このため、ユーザの設定工数を低減させることが可能となる。
【００１０】
給紙手段は、用紙収容部に収容された用紙のサイズを検知する用紙サイズ検知手段をさらに有してもよい。初期用紙サイズ取得手段は、用紙サイズ検知手段により検知された用紙のサイズを初期用紙サイズとして取得してもよい。
【００１１】
この態様によれば、ユーザによる特別な入力操作を要することなく、初期用紙サイズを取得することができる。このため、用紙の切断位置を簡易に設定することができ、ユーザの設定工数を低減させることができる。
【００１２】
初期用紙サイズ取得手段は、ユーザによって入力された、用紙収容部に収容された用紙のサイズを、初期用紙サイズとして取得してもよい。
【００１３】
例えば印刷などの画像記録工程を経てセットされた用紙は、端部がきれいにそろえられていない場合もあり、用紙サイズの検知が困難となる場合がある。また、製本装置に使用される用紙のサイズの種類は広範にわたるため、用紙サイズの正確な検知が困難な場合あがる。このようにユーザによって用紙サイズを入力することによって、正確な初期用紙サイズの取得が可能となり、用紙の切断位置を正確に導出することが可能となる。
【００１４】
用紙切断手段は、用紙収容部に収容された用紙のサイズがユーザによって入力されなかった場合、給紙手段から送り込まれる用紙の切断を回避してもよい。
【００１５】
このような態様によっても、ユーザは特別な入力操作をする必要なく、用紙のサイズを入力しないことで用紙の切断をキャンセルすることができる。このためユーザの設定工数を低減させることができる。
【００１６】
本発明のある態様の製本システムは、綴じ手段により綴じられた用紙束を綴じ位置で折りたたんで冊子を作成する折り手段と、取得された仕上がりサイズとなるよう、折りたたまれて作成された冊子を断裁する断裁位置を設定する断裁位置設定手段と、折りたたまれて作成された冊子の小口、天、地の三方の少なくとも一方を設定された断裁位置で断裁する断裁手段と、折り手段により綴じ位置で用紙束を折りたたんで冊子を作成する中綴じ折り処理がユーザにより選択されたか否かを示す選択結果を取得する選択結果取得手段と、をさらに備えてもよい。綴じ用紙サイズ取得手段は、中綴じ折り処理が選択された場合、取得された仕上がりサイズの冊子を折りたたまれる前の状態に広げて、断裁手段により断裁される周縁部に所定の断裁しろを加えたサイズを、綴じ用紙サイズとして取得してもよい。
【００１７】
中綴じ折り処理が施されて作成される冊子は、小口が厚み方向の中央で膨らんで見栄えが悪いものとなるため、小口を断裁する場合がある。また、小口のみを断裁する場合、冊子が縦に長いものとなる場合があるなどから、小口だけでなく天、地を合わせた三方を断裁する場合がある。この態様によれば、このように折りたたまれて作成された冊子を断裁する場合に、断裁位置を考慮した切断位置をユーザ自らが算出して入力する労力を低減させることができる。このため、ユーザの設定工数を低減させることができる。
【００１８】
綴じ用紙サイズ取得手段は、初期用紙サイズ取得手段によって複数種類の初期用紙サイズが取得された場合、最小の初期用紙サイズを綴じ用紙サイズとして取得してもよい。
【００１９】
この態様によれば、ユーザによる特別な演算を要することなく、綴じ用紙サイズを取得することができることから、綴じ手段への綴じ用紙サイズを別途入力することなく、綴じ用紙サイズを簡易に設定することができる。
【００２０】
綴じ用紙サイズ取得手段は、初期用紙サイズ取得手段によって複数種類の初期用紙サイズが取得された場合、ユーザによる仕上がりサイズの入力を禁止してもよい。この態様によれば、ユーザによって、最小の初期用紙サイズよりも大きなサイズが仕上がりサイズとして入力されることを抑制することができる。
【００２１】
本発明のある態様の製本システムは、綴じ手段により綴じられた用紙束を綴じ位置で折りたたんで冊子を作成する折り手段と、取得された仕上がりサイズとなるよう、折りたたまれて作成された冊子を断裁する断裁位置を設定する断裁位置設定手段と、折りたたまれて作成された冊子の小口、天、地の三方の少なくとも一方を設定された断裁位置で断裁する断裁手段と、折り手段により綴じ位置で用紙束を折りたたんで冊子を作成する中綴じ折り処理がユーザにより選択されたか否かを示す選択結果を取得する選択結果取得手段と、をさらに備え、断裁位置設定手段は、中綴じ折り処理が選択され、且つ初期用紙サイズ取得手段によって複数種類の初期用紙サイズが取得された場合、最小の初期用紙サイズの用紙を折りたたんで断裁手段により断裁される周縁部から所定の断裁しろを差し引いたサイズが仕上がりサイズとなるよう、冊子の断裁位置を設定してもよい。
【００２２】
この態様によれば、小口、天、地の三方のうち少なくとも一方を断裁する場合に、ユーザが断裁手段に断裁位置を別途入力する労力を低減させることができる。また、断裁するときの断裁しろを適切に確保することができ、断裁面における品質を安定して維持することができる。
【発明の効果】
【００２３】
本発明に係る製本システムによれば、製本工程に送り込まれる用紙のサイズに応じて簡易且つ適切に用紙または冊子の周縁部の切り落とし処理を施すことができる。
【発明を実施するための最良の形態】
【００２４】
以下、図面を参照して本発明の実施の形態（以下、実施形態という）について詳細に説明する。
【００２５】
図１は、本実施形態に係る製本システム１０の模式的な全体構成図である。製本システム１０は、第１給紙装置１２、第２給紙装置１４、第３給紙装置１６、用紙加工装置１８、中綴じ折り装置２０、断裁装置２２、および管理装置２８を備える。本実施形態では、第１給紙装置１２および第２給紙装置１４は、同一の構成を有する。このため、第１給紙装置１２の構成を説明し第２給紙装置１４の構成の説明は省略する。
【００２６】
第１給紙装置１２は、給紙台３０、分離給送機構３２、および用紙束形成機構３４を有する。給紙台３０には、印刷、電子写真方式、インクジェット方式などによる画像形成方法によって画像が形成された用紙が積載される。したがって、給紙台３０は、用紙を収容する用紙収容部として機能する。給紙台３０は、用紙が積載された状態でユーザに押されることにより自身が持つキャスタで自走し、第１給紙装置１２内にセットされる。分離給送機構３２は、給紙台３０に積載された用紙のうち最上位の用紙を分離して送り出す。本実施形態に係る分離給送機構３２はエア吸引式のものが採用されている。エア吸引式の分離給送機構は公知であるため、その詳細な説明は省略する。なおエア吸引式の分離給送機構に代えて、いわゆるフリクション式の分離給送機構が設けられてもよいことは勿論である。
【００２７】
第１給紙装置１２は、給紙台３０を昇降させる昇降機構（図示せず）、および給紙台３０の昇降を制御する昇降制御部（図示せず）を有する。分離給送機構３２の周辺には用紙高さセンサ（図示せず）が設けられており、給紙台３０が上昇して給紙台３０に積載された用紙のうち最上位の用紙が分離給送機構３２による送り出し可能な給紙可能位置まで上昇したことを検知する。昇降制御部は、最上位の用紙が給紙可能位置に達したと検知されたときに給紙台３０の上昇を停止させる。こうして昇降制御部は、給紙台３０に積載された用紙の最上位の用紙の高さを給紙可能位置に維持し、分離給送機構３２による用紙の連続的な送り出しを可能としている。
【００２８】
用紙束形成機構３４は、ユーザによって第１給紙装置１２から一度に排出される用紙の枚数として２枚以上の枚数が設定された場合、または、前方に搬送される用紙の加工時間に基づいて第１給紙装置１２の電子制御部により２以上の枚数が設定された場合、分離給送機構３２から一枚ずつ送り出された用紙を停留させ、設定された枚数重ね合わせて排出する。なお、第１給紙装置１２の用紙搬送路４４と第２給紙装置１４の用紙搬送路４４は接続されており、第１給紙装置１２の用紙搬送路４４から排出された用紙は、第２給紙装置１４の用紙搬送路４４を通過して用紙加工装置１８に送り込まれる。
【００２９】
給紙台３０の内部には、給紙台３０に積載された用紙のサイズを検知する用紙サイズセンサ３５が設けられている。用紙サイズセンサ３５は光センサによって構成され、給紙台３０に複数箇所設けられている。用紙サイズセンサ３５は、用紙が積載されることによってどの用紙サイズセンサ３５への光が遮断されたかを検知することにより、給紙台３０に積載された用紙のサイズを検知する。なお、給紙台３０に積載された用紙の側端に当接させる用紙ガイドの位置を検知する用紙サイズセンサが採用されてもよい。このような用紙サイズセンサの構成は公知であるため、その詳細な説明は省略する。
【００３０】
第３給紙装置１６は、Ａトレイ３８Ａ、Ｂトレイ３８Ｂ、および分離給送機構４０を有する。Ａトレイ３８Ａは、Ｂトレイ３８Ｂよりも上方に設けられている。Ａトレイ３８ＡおよびＢトレイ３８Ｂは、モータ（図示せず）を作動させることにより各々が昇降可能に設けられている。以下、Ａトレイ３８ＡおよびＢトレイ３８Ｂを、必要に応じて「トレイ３８」と総称する。
【００３１】
Ａトレイ３８ＡおよびＢトレイ３８Ｂの各々にも、上述したような様々な画像形成方法によって画像が形成された用紙が積載される。したがって、Ａトレイ３８ＡおよびＢトレイ３８Ｂもまた用紙を収容する用紙収容部として機能する。Ａトレイ３８ＡおよびＢトレイ３８Ｂには、画像が形成された用紙が複数重なり合った状態の用紙群が、製本作業者の手によってセットされる。Ａトレイ３８ＡおよびＢトレイ３８Ｂの各々にも用紙サイズセンサ４５が設けられる。用紙サイズセンサ４５の構成は用紙サイズセンサ３５と同様である。
【００３２】
分離給送機構４０は、Ａトレイ３８ＡおよびＢトレイ３８Ｂの各々に対応して設けられる。分離給送機構４０は、Ａトレイ３８ＡまたはＢトレイ３８Ｂに積載された用紙のうち最上位の用紙を分離して送り出す。本実施形態に係る分離給送機構４０は、第１給紙装置１２および第２給紙装置１４と同様にエア吸引式のものが採用されている。
【００３３】
第３給紙装置１６に設けられた電子制御部（図示せず）は、Ａトレイ３８ＡおよびＢトレイ３８Ｂの各々の昇降および分離給送機構４０による用紙の送り出しを制御することにより、Ａトレイ３８ＡまたはＢトレイ３８Ｂに積載された用紙群から用紙を一枚ずつ送り出す。Ａトレイ３８ＡまたはＢトレイ３８Ｂから送り出された用紙は、第３給紙装置１６内の用紙搬送路３６に搬送される。用紙搬送路３６は、第２給紙装置１４の用紙搬送路４４に接続されており、用紙搬送路３６内で搬送された用紙は用紙搬送路４４を通過して用紙加工装置１８に送り込まれる。
【００３４】
用紙加工装置１８は、第１給紙装置１２、第２給紙装置１４、または第３給紙装置１６から送り込まれた用紙に、周縁部の切り落とす用紙切断処理および折り目付け処理を含む用紙加工処理を施す。用紙加工装置１８は、用紙切断機構５０および折り目付け機構５８を有する。用紙加工装置１８に搬送された用紙は、搬送路切換機構（図示せず）によって、メイン搬送路４６およびバイパス搬送路４８のいずれかに搬送される。用紙切断機構５０および折り目付け機構５８は、メイン搬送路４６周辺に配置されている。
【００３５】
たとえば、コピー機などで画像形成された用紙は周辺部に余白部分が生じる。このため、予め大きめの用紙を使って用紙に画像を形成し、製本処理時にこのような用紙の周縁部を切り落とす場合がある。用紙切断機構５０は、第１給紙装置１２、第２給紙装置１４、または第３給紙装置１６からメイン搬送路４６に送り込まれた用紙を切断することによりその周縁部を切り落とし、このような余白の部分を用紙から削除して見栄えのよい冊子の作成を実現する。
【００３６】
用紙切断機構５０は、サイドガイド５２、左右端切断スリッタ５４、および前後端切断カッター５６を有する。用紙切断機構５０は、サイドガイド５２に用紙の左右の端部を当接させて用紙の位置を整え、左右端切断スリッタ５４で用紙の左右の周縁部を切り落とし、前後端切断カッター５６で前後の周縁部を切り落とす。用紙切断機構５０の詳細な構成については後述する。
【００３７】
折り目付け機構５８は、例えば厚い用紙を簡易に折りたたむことができるよう、用紙搬送方向と垂直な直線状の折り目を用紙に成型する。折り目付け機構５８は、メイン搬送路４６を挟んで配置された一対の折り目付け部材を有し、上方の折り目付け部材には用紙搬送方向と垂直に延在し下方に突出する突出部が形成されている。モータ（図示せず）が作動してこの上方の折り目付け部材が下降し用紙を押圧することにより、用紙に折り目が成型される。
【００３８】
バイパス搬送路４８には、周縁部切り落とし処理や折り目付け処理が行われない用紙が搬送される。たとえば、第１給紙装置１２または第２給紙装置１４から複数の用紙が重なり合った用紙束が送り出された場合、送り出された用紙束はバイパス搬送路４８に搬送される。
【００３９】
中綴じ折り装置２０は、用紙加工装置１８から送り込まれた用紙に中綴じ折り処理を施す。中綴じ折り装置２０に送り込まれた用紙は、メイン搬送路６０に沿って搬送される。中綴じ折り装置２０は、綴じ機構６２、折り機構７２、折り無しスタッカ７３を有し、メイン搬送路６０の周辺には綴じ機構６２および折り機構７２が配置される。
【００４０】
綴じ機構６２は、サイドジョガー６６、ステッチャ７０、綴じストッパ６４、およびバックジョガー６８を有する。サイドジョガー６６は一対設けられ、各々が綴じ機構６２において所定枚数の用紙が重なり合って形成された用紙束の側端部に当接し、用紙搬送方向と垂直な方向である用紙幅方向における用紙束の位置を位置決めする。綴じストッパ６４およびバックジョガー６８は、綴じ機構６２において所定枚数の用紙が重なり合って形成された用紙束の前端部および後端部にそれぞれ当接し、用紙束の用紙搬送方向における位置を位置決めする。ステッチャ７０は、綴じストッパ６４、サイドジョガー６６、およびバックジョガー６８によって位置決めされた用紙束に綴じ処理を施す。
【００４１】
折り機構７２は綴じ機構６２の搬送方向下流側（以下、単に「下流側」という）に設けられている。折り機構７２は、綴じ機構６２によって綴じ処理が実施された用紙束に、綴じた箇所で用紙束を折りたたむ折り処理を実施する。折り機構７２は、一対の折りローラ７８、折りナイフ７６、折りストッパ７４を有する。
【００４２】
綴じ機構６２にて綴じ処理が実施されると、綴じストッパ６４が下方に退避し、綴じられた用紙束が折り機構７２に送り込まれる。折り機構７２に送り込まれた用紙束は、前端部が折りストッパ７４に当接したところで用紙搬送方向の位置決めがされる。メイン搬送路６０の上方には一対の折りローラ７８が、軸方向が用紙搬送方向と垂直な方向に向くよう、用紙搬送方向に並設されている。折りナイフ７６は、モータ（図示せず）が作動することにより一対の折りローラ７８の間とメイン搬送路６０の下方とを上昇および下降することが可能となっている。折りストッパ７４により用紙束が用紙搬送方向の位置決めがされた状態で折りナイフ７６を上昇させることにより、用紙束が一対の折りローラ７８の間に巻き込まれる。一対の折りローラ７８は、強い力で用紙束を挟持しながら用紙束を上方に搬送するよう回転することにより、用紙束に折り目を付ける。一対の折りローラ７８によって折り目が付けられた冊子は、一対の折りローラ７８のニップ部から上方に向かう綴じ折り冊子搬送路８２を通ってベルト搬送機構８０に送り込まれる。ベルト搬送機構８０は、作成された冊子を断裁装置２２の用紙搬送路９２に送り出す。
【００４３】
なお、折りストッパ７４は、ソレノイドをオン・オフすることによりメイン搬送路６０に進退可能となっている。ユーザによって中綴じ折り処理による製本が選択されず綴じ処理による製本が選択された場合、綴じストッパ６４および折りストッパ７４はメイン搬送路６０から退避した状態となり、綴じ機構６２によって綴じ処理が施された用紙は、折りストッパ７４の下流に設けられた折り無しスタッカ７３に積載される。
【００４４】
断裁装置２２は、三方断裁機構８４を有する。三方断裁機構８４は、中綴じ折り装置２０から送り込まれた冊子の小口、または小口、天、地の三方を断裁して最終的な冊子を作成する。三方断裁機構８４は、小口断裁刃９０、用紙押さえ部８８、小口断裁ストッパ８６、サイドガイド（図示せず）、および一対の天地断裁刃（図示せず）を有する。
【００４５】
小口断裁ストッパ８６は、ソレノイド（図示せず）をオン・オフすることにより、用紙搬送路９２に進退可能とされている。冊子の小口を断裁する場合、断裁装置２２は、冊子が送り込まれるタイミングで小口断裁ストッパ８６を用紙搬送路９２に突出させておく。これにより、断裁装置２２に送り込まれた冊子は前端部が小口断裁ストッパ８６に当接して用紙搬送方向の位置決めがなされる。
【００４６】
一対のサイドガイドは、小口断裁刃９０よりも用紙搬送方向上流側（以下、単に「上流側」という）に配置され、各々の間隔の中心に搬送される冊子の中心が概ね重なるよう、断裁装置２２の前方および後方に一つずつ配置される。一対のサイドガイドの各々は板状に形成され、用紙搬送方向に延在し且つ用紙搬送路９２から上方に突出する。一対のサイドガイドには、一方が用紙幅方向に移動すれば、他方がその逆方向に同じ距離を移動するいわゆる中心振り分け方式が採用されている。サイドガイドによって案内されその間を通過した冊子は、断裁する前に揃えるべき天、地の位置に揃えられる。
【００４７】
用紙押さえ部８８は小口断裁ストッパ８６より上流側の用紙搬送路９２上方に配置され、モータ（図示せず）が作動することにより下降する。小口断裁刃９０は、用紙押さえ部８８より上流側の用紙搬送路９２上方に設けられ、後述する小口断裁モータが作動することにより下降する。小口断裁刃９０は、後述する小口断裁刃移動モータによって、ボールネジ機構などを介して用紙搬送方向に移動可能に構成されている。天地断裁刃は、用紙押さえ部８８の装置前方および後方の用紙搬送路９２上方にそれぞれ一つずつ設けられ、後述する天地断裁モータが作動することにより下降する。これら一対の天地断裁刃もまた、中心振り分け方式により相互に離間または近接する方向に移動可能とされている。一対の天地断裁刃は、後述する天地断裁刃移動モータが作動するによって、ギヤ機構などを介して相互に離間または近接する方向に移動する。
【００４８】
サイドガイドの間を通過することにより天、地の位置が揃えられ、且つ小口断裁ストッパ８６により用紙搬送方向の位置決めがされた状態で、用紙押さえ部８８が下降して冊子を押さえつける。このように冊子が押さえつけられた状態で、まず小口断裁刃９０が小口を断裁し、次に一対の天地断裁刃が、冊子の天と地を断裁する。断裁処理が施された冊子は、綴じ折りスタッカ２４上に搬送される。
【００４９】
管理装置２８は、管理ＰＣ（Personal Computer）９４、ディスプレイ９６、マウス９８、キーボード９７によって構成される。管理ＰＣ９４は、ＣＰＵ、ＲＯＭ、ＲＡＭ、ハードディスクなどを有し、第１給紙装置１２、第２給紙装置１４、第３給紙装置１６、用紙加工装置１８、中綴じ折り装置２０、および断裁装置２２とデータの送受信可能に接続されている。ディスプレイ９６、キーボード９７、およびマウス９８は管理ＰＣ９４に接続されている。
【００５０】
管理ＰＣ９４は、ディスプレイ９６に設定画面を表示することにより、ユーザによって各種の設定入力が可能な状態とする。キーボード９７やマウス９８を使ってユーザにより各種の設定入力がなされ、さらにディスプレイ９６に表示されたスタートボタンがクリックされると、管理ＰＣ９４は、設定内容を示す情報を第１給紙装置１２、第２給紙装置１４、第３給紙装置１６、用紙加工装置１８、中綴じ折り装置２０、および断裁装置２２の各々に送信すると共に、製本処理を開始する旨を示すスタート信号を送信する。第１給紙装置１２、第２給紙装置１４、第３給紙装置１６、用紙加工装置１８、中綴じ折り装置２０、および断裁装置２２の各々は、内部機構の動作を制御する電子制御部を有しており、スタート信号を受信すると、受信した設定内容に基づいた製本処理を実施する。
【００５１】
図２（ａ）は、本実施形態に係る用紙切断機構５０の上面図であり、図２（ｂ）は、本実施形態に係る用紙切断機構５０の正面である。以下、図２（ａ）および図２（ｂ）の双方に関連して用紙切断機構５０の構成について詳述する。
【００５２】
用紙切断機構５０は、第１搬送台１１２および第２搬送台１４４を有しており、これらの上面にメイン搬送路４６が形成される。第１搬送台１１２の用紙幅方向中央には、用紙搬送方向に延在する搬送ベルト１１４が設けられている。搬送ベルト１１４は、両端が一対の第１搬送ローラ１１６に噛み合いしており、一方の第１搬送ローラ１１６が回転することにより搬送ベルト１１４が駆動される。第１搬送台１１２上に搬送された用紙は、搬送ベルト１１４が駆動されることによりさらに下流側へと搬送される。
【００５３】
第１搬送台１１２上には、用紙搬送方向に延在してメイン搬送路４６から上方に突出する板状の右サイドガイド５２Ｒおよび左サイドガイド５２Ｌ（以下、必要に応じてこれらを「サイドガイド５２」と記載する。）が設けられている。右サイドガイド５２Ｒおよび左サイドガイド５２Ｌは、後述する異なる右サイドガイドモータおよび左サイドガイドモータによりそれぞれ駆動されることで用紙幅方向に移動可能とされている。このため、右サイドガイド５２Ｒと左サイドガイド５２Ｌとの間に用紙が搬送されたときに、これらのサイドガイド５２の間の距離が第１搬送台１１２の搬送される用紙の幅となるように、各々のサイドガイド５２を移動することができる。このようにサイドガイド５２の相互間の距離が用紙の幅となることにより、用紙の用紙幅方向の移動を規制することができ、また第１搬送台１１２上を用紙が搬送されるときにおける用紙の姿勢の乱れを抑制することができる。したがって、サイドガイド５２は、用紙の用紙幅方向の移動を規制する用紙幅方向規制手段として機能し、用紙が搬送されるときの用紙案内手段としても機能する。さらに、サイドガイド５２の間に用紙が搬送されサイドガイド５２の相互間の距離が用紙の幅となっている状態で、この相互間の距離を変えないようにサイドガイド５２を用紙幅方向に移動することにより、用紙を用紙幅方向に移動することも可能となっている。
【００５４】
用紙切断機構５０には、発光素子と受光素子を有する透過型の光センサである第１用紙センサ１３６が配置されている。発光素子と受光素子はメイン搬送路４６を挟むように配置される。第１用紙センサ１３６は、メイン搬送路４６上を搬送される用紙の前端部を検知する。
【００５５】
第１用紙センサ１３６の用紙搬送方向下流側（以下、単に「下流側」と記載する。）かつ用紙搬送路の略中央には、用紙の用紙搬送方向の移動を規制するストッパ１２２が設けられている。ストッパ１２２は用紙幅方向に延在するストッパ部を有しており、後述するストッパソレノイドをオン・オフすることにより、ストッパ部をメイン搬送路４６より上方へ突出させ、およびメイン搬送路４６より下方へ退避させることできる。ストッパ１２２が用紙搬送路へ突出しているときには、搬送される用紙の前端部がこのストッパ１２２に当接し、用紙の搬送方向への移動が規制される。
【００５６】
第１用紙センサ１３６によって搬送される用紙の前端部が検知されると、ストッパ１２２がメイン搬送路４６より上方に突出して、搬送される用紙の用紙搬送方向への移動を規制する。この状態で一対のサイドガイド５２が、相互間の距離が搬送される用紙の幅となるまで近接するよう移動して用紙の左右端部が位置決めされる。こうして用紙の姿勢が整えられると、第１搬送台１１２がメイン搬送路４６下方に退避して再び用紙の搬送が開始される。
【００５７】
第１搬送台１１２の下流側には、一対のスリッタユニット１２５が設けられている。一対のスリッタユニット１２５は、用紙搬送方向を前方として右側に配置される右スリッタユニット１２５Ｒ、および左側に配置される左スリッタユニット１２５Ｌによって構成される。右スリッタユニット１２５Ｒおよび左スリッタユニット１２５Ｌは、上述の中心振り分け方式によって用紙幅方向に相互に離間または近接するよう移動可能に構成されている。右スリッタユニット１２５Ｒは、右スリッタ５４Ｒ、第１右スリッタローラ１２６Ｒ、および第２右スリッタローラ１２８Ｒを有しており、これらは共に用紙幅方向に移動することができるように相互に固定されている。左スリッタユニット１２５Ｌは、左スリッタ５４Ｌ、第１左スリッタローラ１２６Ｌ、および第２左スリッタローラ１２８Ｌを有しており、これらもまた共に用紙幅方向に移動することができるように相互に固定されている。
【００５８】
第１右スリッタローラ１２６Ｒおよび第１左スリッタローラ１２６Ｌは、それぞれ右スリッタ５４Ｒおよび左スリッタ５４Ｌの用紙搬送方向上流側（以下、単に「上流側」と記載する。）に配置され、用紙搬送路を挟んで対向する一対のローラから成る。第２右スリッタローラ１２８Ｒおよび第２左スリッタローラ１２８Ｌは、それぞれ右スリッタ５４Ｒおよび左スリッタ５４Ｌの下流側に配置され、用紙搬送路を挟んで対向する一対のローラから成る。これらの一対のローラの一方は図示しないギヤを介して、第１搬送ローラ１１６を駆動する用紙搬送モータに連結されて駆動可能とされており、他方はこれに従動する従動ローラとされている。
【００５９】
右スリッタ５４Ｒおよび左スリッタ５４Ｌ（以下、必要に応じてこれらを「左右端切断スリッタ５４」と記載する。）は、それぞれスリッタ上刃１４０およびスリッタ下刃１４２を有する。右スリッタ５４Ｒおよび左スリッタ５４Ｌは、それぞれのスリッタ上刃１４０とスリッタ下刃１４２の間に、用紙の左マージンおよび右マージンを切断する左右端切断ライン１６２が形成され、通過する用紙を左右端切断ライン１６２で切断する。したがって、右スリッタ５４Ｒは右マージン切断手段として機能し、左スリッタ５４Ｌは左マージン切断手段として機能する。
【００６０】
スリッタユニット１２５の下流側には前後端切断カッター５６が設けられている。前後端切断カッター５６は、用紙の前マージンおよび後マージンを切断する、前後マージン切断手段として機能する。前後端切断カッター５６は、用紙幅方向に延在するカッター下刃１３４と、後述するカッターモータにより上下可動とされカッター下刃１３４と共に用紙の切断を行う、用紙幅方向に延在するカッター上刃１３２とを有している。このカッター下刃１３４とカッター上刃１３２との間に、前マージンおよび後マージンを切断する直線状の前後端切断ライン１６０が形成される。
【００６１】
前後端切断カッター５６の上流側には、用紙前端部を検知する第２用紙センサ１３８が設けられている。第２用紙センサ１３８には、第１用紙センサ１３６と同様に透過型の光センサが採用されている。第２用紙センサ１３８は、前後端切断カッター５６近傍に搬送された用紙の前端部を検出する。第２用紙センサ１３８によって検知された用紙前端部の通過タイミングを利用して、切断すべき切断位置と前後端切断ライン１６０とが重なる位置で用紙の搬送が停止される。前後端切断カッター５６は、この状態で下降して用紙の前マージンおよび後マージンを切断する。前後端切断カッター５６により前マージンおよび後マージンが切断された用紙は、前後端切断カッター５６の下流側に設けられた第２搬送台１４４上を第２搬送ローラ１４６によってさらに下流側へと搬送される。
【００６２】
用紙切断機構５０は下部フレーム（図示せず）によって支持されている。用紙切断機構５０のフレーム（図示せず）は、装置移動モータ（図示せず）を作動することによりこの下部フレームに対して用紙幅方向に相対的に移動可能とされている。用紙切断機構５０は、第１給紙装置１２、第２給紙装置１４、または第３給紙装置１６から搬送される用紙の用紙幅方向の位置に応じて用紙幅方向に移動させることが可能となっている。
【００６３】
図３は、本実施形態に係る製本システム１０の機能ブロック図である。なお、図３では、各種演算処理を実行するＣＰＵ、各種制御プログラムを格納するＲＯＭ、データ格納やプログラム実行のためのワークエリアとして利用されるＲＡＭなどのハードウェア、およびソフトウェアの連携によって実現される機能ブロックが描かれている。したがって、これらの機能ブロックはハードウェアおよびソフトウェアの組合せによって様々な形で実現することができる。
【００６４】
管理ＰＣ９４は、初期用紙サイズ取得部２００、仕上がりサイズ取得部２０２、綴じ用紙サイズ取得部２０４、切断位置設定部２０６、および断裁位置設定部２０８を有する。初期用紙サイズ取得部２００は、第１給紙装置１２の用紙サイズセンサ３５、第２給紙装置１４の用紙サイズセンサ３５、または第３給紙装置１６の用紙サイズセンサ４５によって検知された用紙のサイズを初期用紙サイズとして取得する。
【００６５】
一方、給紙台３０やトレイ３８には、印刷など画像を記録する工程を経た用紙が積載されるため、画像が記録され排出されるときに用紙端部がきれいに揃えられない場合がある。このため、用紙サイズセンサによっては、積載された用紙を正確に検知することが困難な場合が生じ得る。このような場合を考慮して、表示された設定画面においてキーボード９７やマウス９８を用いて入力操作を行うことにより、給紙台３０またはトレイ３８に積載された用紙のサイズをユーザ自身の手によって管理ＰＣ９４に入力することが可能となっている。初期用紙サイズ取得部２００は、このようにユーザによって入力された、給紙台３０またはトレイ３８に積載された用紙のサイズを初期用紙サイズとして取得する。
【００６６】
また、ユーザは、表示された設定画面においてキーボード９７やマウス９８を用いて入力操作を行うことにより、作成される冊子の最終的なサイズである仕上がりサイズを管理ＰＣ９４に入力することが可能となっている。仕上がりサイズ取得部２０２は、ユーザによって入力された仕上がりサイズを取得する。
【００６７】
上述したように、中綴じ折り装置２０では、綴じストッパ６４、バックジョガー６８、およびサイドジョガー６６によって用紙の端部を揃えた状態でステッチャ７０による綴じ処理が行われる。このため、綴じ機構６２に送り込まれる用紙は同じサイズとなっている必要がある。さらに、第１給紙装置１２、第２給紙装置１４、または第３給紙装置１６から送り出される用紙のサイズが同じであっても、例えば綴じ機構６２によって用紙束の左端に複数箇所綴じ処理を施して折り無しスタッカ７３に排出するような場合は、予め用紙の周縁の不要な余白部分を切り落として綴じ機構６２に送り込む必要がある。綴じ用紙サイズ取得部２０４は、このように綴じ機構６２に送り込まれるべき用紙のサイズである綴じ用紙サイズを、例えば取得された仕上がりサイズを利用して算出し取得する。
【００６８】
切断位置設定部２０６は、取得された初期用紙サイズおよび取得された綴じ用紙サイズを利用して、用紙切断機構５０による用紙の切断位置を設定する。具体的には、切断位置設定部２０６は、用紙の幅方向中央から、取得された綴じ用紙サイズの用紙幅方向の長さの半分の長さ離れた左右の位置を、左右端の切断位置に設定する。また、切断位置設定部２０６は、搬送される用紙の前端部から（初期用紙サイズの用紙搬送方向の長さ−綴じ用紙サイズの用紙搬送方向の長さ）／２の値だけ後方に移動した位置を、前マージンを切り落とすために切断すべき前端部の切断位置に設定する。さらに切断位置設定部２０６は、前端部の切断位置から綴じ用紙サイズの用紙搬送方向の長さだけ後方に移動した位置を、後マージンを切り落とすために切断すべき後端部の切断位置に設定する。
【００６９】
このように、本実施形態に係る製本システム１０では、用紙サイズセンサによって検知され、またはユーザによって入力された用紙のサイズを利用して用紙切断機構５０による切断位置を設定することが可能となっている。これにより、例えば用紙加工装置１８に切断位置を入力することなく切断位置を簡易に設定することができ、製本作業者の工数を低減させることが可能となる。
【００７０】
管理ＰＣ９４は、冊子を構成する複数の用紙の各々について、用紙の切断の要否を示す用紙切断フラグ、および用紙を切断する場合は設定した切断位置を示す切断位置情報含む、処理特定情報を生成する。管理ＰＣ９４は、ディスプレイ９６に表示された、製本処理の開始を指示するためのスタートボタンがユーザによってクリックされたときに、処理特定情報を用紙加工装置１８に送信する。
【００７１】
断裁位置設定部２０８は、取得された仕上がりサイズとなるよう、小口の断裁位置、および天、地の断裁位置を設定する。なお、ユーザは、表示された設定画面において小口の断裁のみ行うことを指定することができる。ユーザによって小口の断裁のみ行うことが指定された場合、断裁位置設定部２０８は、小口の断裁位置のみ設定する。断裁位置設定部２０８は、三方を断裁する場合には小口の断裁位置を示す小口断裁情報と、天、地の断裁位置を示す天地断裁情報を含む断裁位置情報とを生成する。また、小口のみ断裁する場合には小口断裁情報を含み天地断裁情報を含まない断裁位置情報を生成する。管理ＰＣ９４は、ユーザによってスタートボタンがクリックされたときに、生成した断裁位置情報を断裁装置２２に送信する。
【００７２】
用紙加工装置１８は、用紙切断制御部２２０、搬送路切換ソレノイド２３８、用紙搬送モータ２４０、右サイドガイドモータ２４２、左サイドガイドモータ２４４、スリッタモータ２４６、ストッパソレノイド２４８、およびカッターモータ２５０を有する。用紙切断制御部２２０は、これらソレノイドやモータに接続され、ソレノイドに供給する電流やモータに駆動信号を供給することによりこれらの作動を制御する。
【００７３】
搬送路切換ソレノイド２３８は、用紙加工装置１８に搬送された用紙をメイン搬送路４６に搬送するかバイパス搬送路４８に搬送するかを切り換える。搬送路切換ソレノイド２３８がオンにされているときは用紙はメイン搬送路４６に搬送され、オフにされているときは用紙はバイパス搬送路４８に搬送される。
【００７４】
用紙搬送モータ２４０は、第１搬送ローラ１１６や第１スリッタローラ１２６、第２スリッタローラ１２８、および第２搬送ローラ１４６などを駆動する。右サイドガイドモータ２４２は、ギヤ機構などを介して右サイドガイド５２Ｒに接続され、右サイドガイド５２Ｒを用紙幅方向に移動させる。左サイドガイドモータ２４４は、ギヤ機構などを介して左サイドガイド５２Ｌに接続され、左サイドガイド５２Ｌを用紙幅方向に移動させる。
【００７５】
スリッタモータ２４６は、ギヤ機構などを介して左右端切断スリッタ５４に接続されており、一対の左右端切断スリッタ５４を用紙幅方向に相互に近接または離間する方向に移動させる。ストッパソレノイド２４８は、オンにされることによりメイン搬送路４６から上方に突出して用紙の前端部に当接し、オフにされることにより下方に退避して用紙を搬送可能な状態とする。カッターモータ２５０は、ギヤ機構などを介して前後端切断カッター５６に接続されており、前後端切断カッター５６を下降させて用紙の前マージンおよび後マージンを切り落とす。
【００７６】
用紙切断制御部２２０は、切断実行制御部２２２、前後端切断制御部２２４、および左右端切断制御部２２６を有する。切断実行制御部２２２は、搬送路切換ソレノイド２３８のオン、オフを制御することにより、第１給紙装置１２、第２給紙装置１４、または第３給紙装置１６から送り込まれた用紙の搬送経路をメイン搬送路４６およびバイパス搬送路４８のいずれかに切り換える。
【００７７】
前後端切断制御部２２４は、用紙搬送モータ２４０およびカッターモータ２５０の作動を制御することにより、用紙の前後端の切断を制御する。具体的には、前後端切断制御部２２４は、第２用紙センサ１３８によって用紙の前端部が検知されたときから、用紙の前端部が前後端切断ライン１６０に達するために供給すべき駆動信号を用紙搬送モータ２４０に供給する。前後端切断制御部２２４は、ここからさらに、管理装置２８から受信した切断位置情報が示す用紙前端部から、前マージンを切り落とすための切断位置までの距離だけ用紙を移動させるために供給すべき駆動信号を用紙搬送モータ２４０に供給して、前端部の切断位置を前後端切断ライン１６０に合わせる。前端部の切断位置が前後端切断ライン１６０に合ったときに、前後端切断制御部２２４は用紙搬送モータ２４０の作動を停止させて用紙の搬送を停止させる。前後端切断制御部２２４は、この状態でカッターモータ２５０を作動させて前端部の切断位置で用紙を切断し、前マージンを切り落とす。
【００７８】
次に前後端切断制御部２２４は、管理ＰＣ９４から受信した切断位置情報が示す、後端部の切断位置までの距離、すなわち綴じ用紙サイズの用紙搬送方向長さだけ用紙を移動させるために供給すべき駆動信号を用紙搬送モータ２４０に供給して、後端部の切断位置を前後端切断ライン１６０に合わせる。後端部の切断位置が前後端切断ライン１６０に合ったときに、前後端切断制御部２２４は用紙搬送モータ２４０の作動を停止させて用紙の搬送を停止させる。前後端切断制御部２２４は、この状態でカッターモータ２５０を作動させて後端部の切断位置で用紙を切断し、後マージンを切り落とす。
【００７９】
左右端切断制御部２２６は、一対の左右端切断スリッタ５４の各々によって形成される一対の左右端切断ライン１６２間の距離が、管理ＰＣ９４から受信した切断位置情報が示す綴じ用紙サイズの用紙幅方向の長さとなるよう、一対の左右端切断スリッタ５４を相互に離間または近接させる。
【００８０】
断裁装置２２は、断裁制御部２６０、サイドガイドモータ２７２、ストッパソレノイド２７４、小口断裁刃移動モータ２７６、小口断裁モータ２７８、天地断裁刃移動モータ２８０、および天地断裁モータ２８２を有する。断裁制御部２６０は、これらソレノイドやモータに接続され、ソレノイドに供給する電流やモータに駆動信号を供給することによりこれらの作動を制御する。
【００８１】
サイドガイドモータ２７２は、断裁装置２２内の一対のサイドガイドにギヤ機構などを介して接続されており、一対のサイドガイドを相互に離間または近接する方向に移動させる。ストッパソレノイド２７４は、オンにされたときに小口断裁ストッパ８６を用紙搬送路９２上に突出させ、オフにされたときに用紙搬送路９２より下方に退避させる。
【００８２】
小口断裁刃移動モータ２７６は、ボールネジ機構などを介して小口断裁刃９０に接続されており、小口断裁刃９０を用紙搬送方向と平行な方向に移動させる。小口断裁モータ２７８は、ギヤ機構などを介して小口断裁刃９０に接続されており、小口断裁刃９０を下降させて冊子の小口を裁断する。
【００８３】
天地断裁刃移動モータ２８０は、ギヤ機構などを介して一対の天地断裁刃に接続されており、一対の天地断裁刃を相互に離間または近接させる方向に移動させる。天地断裁モータ２８２は、ギヤ機構などを介して一対の天地断裁刃に接続されており、一対の天地断裁刃を下降させて冊子の天、地を裁断する。
【００８４】
断裁制御部２６０は、小口断裁制御部２６２および天地断裁制御部２６４を有する。小口断裁制御部２６２は、ストッパソレノイド２７４、小口断裁刃移動モータ２７６、および小口断裁モータ２７８の作動を制御する。小口断裁制御部２６２は、管理ＰＣ９４から受信した断裁位置情報が示す小口断裁位置に小口断裁刃９０を移動させた状態で小口断裁刃９０を下降させ、冊子の小口を断裁する。天地断裁制御部２６４は、サイドガイドモータ２７２、天地断裁刃移動モータ２８０、および天地断裁モータ２８２の作動を制御する。天地断裁制御部２６４は、管理ＰＣ９４から受信した断裁位置情報が示す天地断裁位置に天地断裁刃を移動させた状態で天地断裁刃を下降させ、冊子の天、地を断裁する。
【００８５】
図４は、本実施形態に係る製本システム１０における切断位置および断裁位置の設定手順を示すフローチャートである。本フローチャートにおける処理は、ユーザによって切断位置や断裁位置に関連する入力が表示されている設定画面になされたときに開始する。
【００８６】
製本処理に先だって、ユーザは、中綴じ折り処理によって製本するか綴じ処理によって製本するかを、キーボード９７やマウス９８を用いて選択することができる。管理ＰＣ９４は、ユーザによって入力されたこのような選択結果を取得する選択結果取得部（図示せず）を有する。また、ユーザは、作成する冊子を構成する用紙のうち、何枚目に重ね合わせる用紙が給紙台３０およびトレイ３８のいずれに積載されているかを、キーボード９７やマウス９８を利用いて管理ＰＣ９４に入力することができる。このときユーザは、指定したトレイなどに収容された用紙のサイズも入力することができる。
【００８７】
ユーザによって、指定された給紙台３０またはトレイ３８に積載された用紙サイズが入力されたとき、入力された用紙サイズを示す情報はその用紙が積載される給紙台３０またはトレイ３８を特定する情報に対応付けられてＲＡＭに格納される。初期用紙サイズ取得部２００は、ユーザによって入力された用紙サイズを示す情報がＲＡＭに格納されているかを参照し、冊子作成のための給紙元として指定された給紙台３０またはトレイ３８に積載された用紙サイズがユーザによって入力されているか否かを判定する（Ｓ１０）。
【００８８】
指定された給紙台３０またはトレイ３８に積載された用紙サイズがユーザによって入力されている場合（Ｓ１０のＹ）、初期用紙サイズ取得部２００は、ユーザによって入力された用紙サイズを初期用紙サイズとして取得する（Ｓ１２）。指定された給紙台３０またはトレイ３８に積載された用紙サイズがユーザによって入力されていない場合（Ｓ１０のＮ）、初期用紙サイズ取得部２００は、用紙サイズセンサ３５または用紙サイズセンサ４５によって検知された用紙サイズを初期用紙サイズとして取得する（Ｓ１４）。
【００８９】
入力された用紙サイズが取得されると、綴じ用紙サイズ取得部２０４は、取得した初期用紙サイズが複数種類あるか否かを判定する（Ｓ１６）。取得された初期用紙サイズが複数種類ある場合（Ｓ１６のＹ）、仕上がりサイズ取得部２０２は、仕上がりサイズの入力を禁止し（Ｓ１８）、綴じ用紙サイズ取得部２０４は、複数種類の初期用紙サイズの中で最小の初期用紙サイズを綴じ用紙サイズとして取得する（Ｓ２０）。なお、最小の初期用紙サイズの用紙は切断しないため、切断位置設定部２０６は、その用紙に対応する用紙切断フラグをオフに設定する。また、管理ＰＣ９４は、キーボード９７やマウス９８を用いてユーザによって仕上がりサイズを入力する入力操作がなされた場合においても、入力されたサイズをＲＡＭに格納せず仕上がりサイズを取得しないことにより、仕上がりサイズの入力を禁止する。また、仕上がりサイズの入力は許容し、スタートボタンのクリックを禁止して、入力された仕上がりサイズによる製本処理の開始を禁止してもよい。
【００９０】
例えば、第１給紙装置１２と第２給紙装置１４が、冊子を構成する用紙を搬送する給紙装置として指定された場合であって、第１給紙装置１２に収容された用紙のサイズがＡ３であり、第２給紙装置１４に収容された用紙のサイズがＡ３ノビであるとユーザによって入力されたものとする。この場合、綴じ用紙サイズ取得部２０４は、取得した初期用紙サイズが複数種類あると判定し、最小の初期用紙サイズであるＡ３を綴じ用紙サイズとして取得する。このように最小の初期用紙サイズを綴じ用紙サイズとすることにより、ユーザによる切断後サイズの入力を省略することができ、ユーザの設定工数を低減させることができる。
【００９１】
なお、側端部が揃えられていない用紙が給紙台３０またはトレイ３８に積載された場合、用紙サイズセンサによって、積載された用紙のサイズとは異なるサイズが検知される場合がある。このような場合、ユーザは、給紙台３０またはトレイ３８に収容される用紙のサイズを入力し、すべての初期用紙サイズを単一にすることにより、仕上がりサイズの入力が可能な状態とすることができる。
【００９２】
また、すべての仕上がりサイズの入力を禁止するのではなく、選択結果取得部によって取得された選択結果を参照して綴じ処理による製本が選択されている場合に、最小の初期用紙サイズよりも大きいサイズの入力を禁止しても良い。また、中綴じ折り処理による製本が選択されている場合に、最小の初期用紙サイズを折りたたんだサイズよりも大きいサイズの入力を禁止してもよい。
【００９３】
一方、取得された初期用紙サイズが単一である場合（Ｓ１６のＮ）、ユーザは、表示された設定画面において、キーボード９７やマウス９８を用いて管理ＰＣ９４に仕上がりサイズを入力することができる。ユーザによって入力された仕上がりサイズを示す情報はＲＡＭに格納される。綴じ用紙サイズ取得部２０４は、ユーザによって入力された仕上がりサイズを示す情報がＲＡＭに格納されているかを判定することにより、ユーザによって仕上がりサイズの入力がなされているか否かを判定する（Ｓ２２）。
【００９４】
ユーザによって仕上がりサイズの入力がなされている場合（Ｓ２２のＹ）、綴じ用紙サイズ取得部２０４は、仕上がりサイズに基づいて綴じ用紙サイズを取得する（Ｓ２４）。ユーザは、表示された設定画面において、中綴じ折り処理による製本か、綴じ処理による製本かを選択することができる。綴じ処理によって冊子が製本される場合、綴じ処理が実施された後に冊子が断裁されないため、綴じ用紙サイズ取得部２０４は、ユーザによって入力された仕上がりサイズをそのまま綴じ用紙サイズとして取得する。
【００９５】
切断位置設定部２０６は、中綴じ折り処理による製本がユーザによって選択されている場合、ユーザによって入力された仕上がりサイズの冊子を折りたたまれる前の状態に広げて所定の断裁しろを小口、天、地の各々に対応するそれぞれの周縁部に加えたサイズを、綴じ用紙サイズとして取得する。例えば、ユーザによって入力された仕上がりサイズがＡ４であり、小口、天、地の各々に設けるべき断裁しろが１０ｍｍであった場合、切断位置設定部２０６は、仕上がりサイズであるＡ４の冊子を広げたＡ３のサイズの用紙から、さらに周縁部に１０ｍｍ加えたサイズを、綴じ用紙サイズとして取得する。綴じ用紙サイズが取得されると、切断位置設定部２０６は、冊子を構成する各々の用紙のうち用紙切断フラグがオンに設定されている用紙について切断位置を設定する（Ｓ２８）。
【００９６】
なお、ユーザによって仕上がりサイズの入力がなされていない場合（Ｓ２２のＮ）、切断位置設定部２０６は、作成する冊子を構成するすべての用紙について処理特定情報に含まれる用紙切断フラグをオフに設定する（Ｓ２６）。これにより、ユーザは、仕上がりサイズを入力しないことで給紙手段から送り込まれる用紙の切断を簡易に回避することができる。
【００９７】
Ｓ２６またはＳ２８の処理を終えると、断裁位置設定部２０８は、中綴じ折り処理による製本が選択されているか否かを判定する（Ｓ３０）。なお、中綴じ折り処理による製本が選択されている場合と綴じ処理による製本が選択されている場合とで、図４に示す切断位置などの設定工程が別々に設けられてもよい。中綴じ折り処理が選択されている場合（Ｓ３０のＹ）、断裁位置設定部２０８は、断裁装置２２による断裁位置も設定する（Ｓ３２）。
【００９８】
このとき、複数種類の初期用紙サイズが取得されていた場合、すなわち、複数種類の用紙サイズの用紙が給紙装置から送り込まれて冊子を作成する場合、断裁位置設定部２０８は、最小の初期用紙サイズの用紙を折りたたんで所定の断裁しろを小口、天、地の各々から差し引いたサイズが仕上がりサイズとなるよう、冊子の小口、天、地の三方の断裁位置を設定する。例えば、最小の初期用紙サイズがＡ３であり、小口、天、地に設けられるべき断裁しろが１０ｍｍに設定されていた場合、断裁位置設定部２０８は、Ａ３の用紙を折りたたんで作成されるＡ４の冊子の小口、天、地から１０ｍｍ差し引いたサイズが仕上がりサイズとなるよう、冊子の小口、天、地の三方の断裁位置を設定する。このように断裁位置を設定することで、断裁しろを確実に確保することが可能となる。中綴じ折り処理による製本が選択されていない場合（Ｓ３０のＮ）、断裁位置設定部２０８は、Ｓ３２の処理をスキップする。
【００９９】
図５は、本実施形態に係る用紙加工装置１８における用紙の切断工程を示すフローチャートである。本フローチャートにおける処理は、ユーザによってスタートボタンがクリックされて製本処理が開始され、用紙加工装置１８に用紙が送り込まれるたびに開始する。
【０１００】
用紙加工装置１８に用紙が送り込まれるとき、切断実行制御部２２２は、管理ＰＣ９４から受信した処理特定情報を参照し、送り込まれる用紙に対応する用紙切断フラグがオンか否かを判定する（Ｓ４０）。用紙切断フラグがオンの場合（Ｓ４０のＹ）、切断実行制御部２２２は、搬送路切換ソレノイド２３８をオンにして用紙をメイン搬送路４６に搬送する（Ｓ４２）。用紙切断フラグがオフの場合（Ｓ４０のＮ）、切断実行制御部２２２は、搬送路切換ソレノイド２３８をオフにして用紙をバイパス搬送路４８に搬送する（Ｓ４４）。
【０１０１】
メイン搬送路４６に搬送されると、前後端切断制御部２２４および左右端切断制御部２２６は、受信した処理特定情報を参照し、送り込まれる用紙に対応する切断位置で用紙を切断する（Ｓ４６）。設定された切断位置で用紙が切断されると、本フローチャートにおける処理を一旦終了する。
【０１０２】
図６は、本実施形態に係る断裁装置２２における冊子の断裁工程を示すフローチャートである。本フローチャートにおける処理は、ユーザによってスタートボタンがクリックされて製本処理が開始され、断裁装置２２に冊子が送り込まれるたびに開始する。
【０１０３】
断裁装置２２に中綴じ折り処理が施された冊子が送り込まれると、小口断裁制御部２６２は、管理ＰＣ９４から受信した断裁位置情報が示す小口断裁位置で冊子の小口を断裁する（Ｓ５０）。
【０１０４】
設定された小口断裁位置で小口が断裁されると、天地断裁制御部２６４は、管理ＰＣ９４から受信した断裁位置情報に天地断裁位置を示す情報が含まれているか否かを判定することにより、小口だけでなく天、地も断裁する三方断裁を実施するか否かを判定する（Ｓ５２）。三方断裁を実施する場合（Ｓ５２のＹ）、天地断裁制御部２６４は、管理ＰＣ９４から受信した断裁位置情報が示す天地断裁位置で冊子の天、地を断裁する（Ｓ５４）。小口のみの断裁の場合（Ｓ５２のＮ）、天地断裁制御部２６４は、Ｓ５４の天地断裁工程をスキップする。
【０１０５】
本発明は上述の実施形態に限定されるものではない。また、当業者の知識に基づいて各種の設計変更等の変形を上述の実施形態に対して加えることも可能であり、そのような変形が加えられた実施形態も本発明の範囲に含まれうる。以下、そうした例をあげる。
【０１０６】
ある変形例では、表示された設定画面において、冊子を構成する用紙が収容されていると指定されたトレイに収容される用紙のサイズがユーザによって入力されなかった場合、切断位置設定部２０６は、冊子を構成するすべての用紙について、処理特定情報に含まれる用紙切断フラグをオフに設定して用紙の切断を回避する。これにより、ユーザは用紙のサイズを入力しないことで用紙の切断の回避を簡易に指定することができる。
【０１０７】
ある別の変形例では、断裁装置２２は小口のみ断裁可能に構成される。このような断裁装置２２を有する製本システム１０において、中綴じ折り処理による製本がユーザによって選択されている場合、綴じ用紙サイズ取得部２０４は、ユーザによって入力された仕上がりサイズの冊子を折りたたまれる前の状態に広げて所定の断裁しろを小口側となる周縁部に加えたサイズを、綴じ用紙サイズとして取得する。例えば、ユーザによって入力された仕上がりサイズがＡ４であり、小口に設けるべき断裁しろが１０ｍｍであった場合、切断位置設定部２０６は、仕上がりサイズであるＡ４の冊子を広げたＡ３のサイズの用紙から、さらに小口に対応する前後端の周縁部に１０ｍｍ加えたサイズを、綴じ用紙サイズとして取得する。このように綴じ用紙サイズを取得することにより、小口のみ断裁可能に構成される断裁装置においても、小口の断裁しろを適切に確保することが可能となる。
【０１０８】
また、このような断裁装置２２を有する製本システム１０において、中綴じ折り処理による製本がユーザによって選択され且つ複数種類の初期用紙サイズが取得されている場合、最小の初期用紙サイズの用紙を折りたたんで所定の断裁しろを小口から差し引いたサイズが仕上がりサイズとなるよう、断裁位置設定部２０８は、冊子の小口の断裁位置を設定する。例えば、最小の初期用紙サイズがＡ３であり、小口に設けられるべき断裁しろが１０ｍｍに設定されていた場合、断裁位置設定部２０８は、Ａ３の用紙を折りたたんで作成されるＡ４の冊子の小口から１０ｍｍ差し引いたサイズが仕上がりサイズとなるよう、冊子の小口の断裁位置を設定する。これによっても、小口の断裁しろを適切に確保することが可能となる。
【図面の簡単な説明】
【０１０９】
【図１】本実施形態に係る製本システムの模式的な全体構成図である。
【図２】（ａ）は、本実施形態に係る用紙切断機構の上面図であり、（ｂ）は、本実施形態に係る用紙切断機構の正面である。
【図３】本実施形態に係る製本システムの機能ブロック図である。
【図４】本実施形態に係る製本システムにおける切断位置および断裁位置の設定手順を示すフローチャートである。
【図５】本実施形態に係る用紙加工装置における用紙の切断工程を示すフローチャートである。
【図６】本実施形態に係る断裁装置における冊子の断裁工程を示すフローチャートである。
【符号の説明】
【０１１０】
１０  製本システム、  １２  第１給紙装置、  １４  第２給紙装置、  １６  第３給紙装置、  １８  用紙加工装置、  ２０  中綴じ折り装置、  ２２  断裁装置、  ２４  綴じ折りスタッカ、  ２８  管理装置、  ３０  給紙台、  ３５  用紙サイズセンサ、  ３８  トレイ、  ４５  用紙サイズセンサ、  ４６  メイン搬送路、  ４８  バイパス搬送路、  ５０  用紙切断機構、  ５２  サイドガイド、  ５４  左右端切断スリッタ、  ５６  前後端切断カッター、  ８４  三方断裁機構、  ９０  小口断裁刃、  ９４  管理ＰＣ、  ２００  初期用紙サイズ取得部、  ２０２  仕上がりサイズ取得部、  ２０４  綴じ用紙サイズ取得部、  ２０６  切断位置設定部、  ２０８  断裁位置設定部、  ２２０  用紙切断制御部、  ２２２  切断実行制御部、  ２６０  断裁制御部。  
【図１】
0005109103.tif 000002
【図２】
0005109103.tif 000003
【図３】
0005109103.tif 000004
【図４】
0005109103.tif 000005
【図５】
0005109103.tif 000006
【図６】
0005109103.tif 000007